(57)【要約】【課題】  所望の画質仕上がりを簡単なユーザー操作で実施できる電子カメラを提供する。【解決手段】  本発明の電子カメラは、撮像部、画質調整部、記憶部、入力部、および制御部を備える。撮像部は、被写体像を撮像して画像データを生成する。画質調整部は、画像データに複数種類の画質調整を組み合わせて実施することにより、複数通りの画質仕上がりを実現可能にする。記憶部は、画質仕上がりを示唆する仕上がりキーワードは、画質仕上がりに必要な『画質調整の組み合わせ』との対応情報を記憶する。入力部は、ユーザ入力により仕上がりキーワードを選択する。制御部は、記憶部が記憶する対応情報に照合して、入力部で選択された仕上がりキーワードに対応する『画質調整の組み合わせ』を求める。なお、画質調整部は、制御部の求めた『画質調整の組み合わせ』に従って、画像データの画質調整を実施することを特徴とする。【選択図】      図３
2005217483.tif 000002
【特許請求の範囲】
【請求項１】
被写体像を撮像して画像データを生成する撮像部と、
前記画像データに複数種類の画質調整を組み合わせて実施することにより、複数通りの画質仕上がりを実現可能な画質調整部と、
前記画質仕上がりを示唆する仕上がりキーワードと、前記画質仕上がりに必要な『画質調整の組み合わせ』との対応情報を記憶する記憶部と、
ユーザ入力により前記仕上がりキーワードを選択する入力部と、
前記記憶部が記憶する前記対応情報に照合して、前記入力部で選択された前記仕上がりキーワードに対応する『画質調整の組み合わせ』を求める制御部とを備え、
前記画質調整部は、前記画像データに対して、前記制御部の求めた『画質調整の組み合わせ』を施す
ことを特徴とする電子カメラ。
【請求項２】
請求項１に記載の電子カメラにおいて、
前記撮像部は、前記仕上がりキーワードと独立して露出制御を実施する露出制御モードを有する
ことを特徴とする電子カメラ。
【請求項３】
請求項２に記載の電子カメラにおいて、
前記仕上がりキーワードと独立した露出制御モードは、プログラム露出モード、絞り優先露出モード、シャッタ優先露出モード、およびマニュアル露出モードの少なくとも一つであり、
前記入力部は、前記仕上がりキーワードと独立した露出制御モードの選択された状態において、前記仕上がりキーワードの選択操作を受け付ける
ことを特徴とする電子カメラ。
【請求項４】
請求項１ないし請求項３のいずれ１項に記載の電子カメラにおいて、
前記記憶部は、ユーザーからの入力を受け付けて前記対応情報をカスタマイズするカスタマイズ機能を有する
ことを特徴とする電子カメラ。
【請求項５】
請求項１ないし請求項４のいずれか１項に記載の電子カメラにおいて、
ユーザーが画質調整の組み合わせを個別に設定または部分的に設定変更することにより、前記画像データをユーザー独自の画質に仕上げるマニュアル調整部と、
マニュアル調整部を用いて画質調整された画像データをユーザー入力によって選択するお気に入り画像選択部とを備え、
前記記憶部は、前記お気に入り画像選択部で選択された前記画像データに対して実施された『画質調整の組み合わせ』を前記対応情報に登録することにより、前記対応情報をカスタマイズする
ことを特徴とする電子カメラ。
【請求項６】
請求項１ないし請求項５のいずれか１項に記載の電子カメラにおいて、
前記入力部は、
画質調整済みの画像データについて、仕上がりキーワードの変更を受け付ける機能を有し、
前記画質調整の組み合わせは、
『非線形な階調補正処理』、『前記階調補正処理の前に実施する前処理』、および『前記階調補正処理の後に実施する後処理』に大まかに分割することが可能であり、
前記画質調整部は、
仕上がりキーワードの変更を受け付けた前記画質調整済みの画像データに対して、
（１）実施済みの前記後処理についての逆変換を実施し、
（２）次に、実施済みの前記階調補正処理についての逆変換を実施し、
（３）次に、『実施済みの前記前処理』と『変更された仕上がりキーワードに対応する前処理』との差分処理を実施し、
（４）次に、『変更された仕上がりキーワードに対応する階調補正処理』を実施し、
（５）次に、『変更された仕上がりキーワードに対応する後処理』を実施する
ことにより、前記画質仕上がりを変更する
ことを特徴とする電子カメラ。
【請求項７】
請求項１ないし請求項６のいずれか１項に記載の電子カメラと情報通信を行うコンピュータを、
ユーザーが画質調整の組み合わせを個別に設定または部分的に設定変更することにより、前記画像データをユーザー独自の画質に仕上げるマニュアル調整部と、
マニュアル調整部を用いて画質調整された画像データをユーザー入力によって選択するお気に入り画像選択部と、
前記お気に入り画像選択部で選択された前記画像データに対して実施された『画質調整の組み合わせ』を前記対応情報のカスタマイズデータとして前記電子カメラに情報送信する情報送信部と
して機能させるための処理プログラム。
【発明の詳細な説明】
【技術分野】
【０００１】
本発明は、撮像後の画像データに対する画質の仕上がり具合を設定する機能（以下『仕上がり設定機能(OPTIMIZE IMAGE)』という）を有する電子カメラに関する。
また、本発明は、電子カメラの仕上がり設定機能をカスタマイズするための処理プログラムに関する。
【背景技術】
【０００２】
従来、風景モードやポートレートモードといった、シーンモード選択機能を有する電子カメラが知られている（例えば、下記の特許文献１）。
この種の電子カメラでは、シーンモード選択に連動して、撮影光学系の露出制御が変更する。例えば、風景モードでは、シャッタスピードを長くして、絞り可変の露出制御を行う。また、ポートレートモードでは、絞りを大きく開いてシャッタスピードを短くする露出制御を行う。
【０００３】
【特許文献１】特開２００１−３５２４８５号公報（請求項３など）
【発明の開示】
【発明が解決しようとする課題】
【０００４】
上述した電子カメラでは、シーンモードが選択されると、撮影光学系の露出制御が自動的に決定されてしまう。
しかしながら、銀塩カメラの使用経験の長いユーザーにおいては、カメラの露出操作に熟知しているため、露出を独自の経験に従ってコントロールしたいという強い要望がある。その反面、不馴れな画質調整については、所望の画質仕上がりを簡単な操作で実現したいという強い要望もある。
そこで、請求項１の発明では、所望の画質仕上がりを簡単なユーザー操作で得られる電子カメラを提供することを目的とする。
【０００５】
また、請求項２の発明では、ユーザー独自の露出制御を可能にしつつ、かつ一方で所望の画質仕上がりを簡単に得られる電子カメラを提供することを目的とする。
また、請求項３の発明では、露出制御の選択操作と、画質仕上がりの選択操作とに一貫性を持たせることで、操作性の高い電子カメラを提供することを目的とする。
また、請求項４の発明では、ユーザー独自に画質仕上がりを登録できる電子カメラを提供することを目的とする。
また、請求項５の発明では、簡単な操作を用いて、画質仕上がりをカスタマイズ可能な電子カメラを提供することを目的とする。
また、請求項６の発明では、一旦実行した画質仕上がりを少ない処理コストで変更する電子カメラを提供することを目的とする。
また、請求項７の発明では、外部のコンピュータを使用することで、電子カメラの画質仕上がりをカスタマイズ可能にする処理プログラムを提供することを目的とする。
【課題を解決するための手段】
【０００６】
《請求項１》
請求項１の電子カメラは、撮像部、画質調整部、記憶部、入力部、および制御部を備える。
撮像部は、被写体像を撮像して画像データを生成する。
画質調整部は、画像データに複数種類の画質調整を組み合わせて実施することにより、複数通りの画質仕上がりを実現可能にする。
記憶部は、画質仕上がりを示唆する仕上がりキーワードと、画質仕上がりに必要な『画質調整の組み合わせ』との対応情報を記憶する。
入力部は、ユーザー入力により仕上がりキーワードを選択する。
制御部は、記憶部が記憶する対応情報に照合して、入力部で選択された仕上がりキーワードに対応する『画質調整の組み合わせ』を求める。
なお、画質調整部は、制御部の求めた『画質調整の組み合わせ』に従って、画像データに画質調整を施す。
【０００７】
《請求項２》
請求項２に記載の発明は、請求項１に記載の電子カメラにおいて、撮像部が、仕上がりキーワードと独立して露出制御を行う露出制御モードを有することを特徴とする。
【０００８】
《請求項３》
請求項３に記載の発明は、請求項２に記載の電子カメラにおいて、『仕上がりキーワードと独立した露出制御モード』は、プログラム露出モード、絞り優先露出モード、シャッタ優先露出モード、およびマニュアル露出モードの少なくとも一つである。さらに、入力部は、仕上がりキーワードと独立した露出制御モードの選択された状態において、仕上がりキーワードの選択操作を受け付けることを特徴とする。
【０００９】
《請求項４》
請求項４に記載の発明は、請求項１ないし請求項３のいずれ１項に記載の電子カメラにおいて、記憶部は、ユーザーからの入力を受け付けて対応情報をカスタマイズするカスタマイズ機能を有することを特徴とする。
【００１０】
《請求項５》
請求項５に記載の発明は、請求項１ないし請求項４のいずれ１項に記載の電子カメラにおいて、マニュアル調整部、およびお気に入り画像選択部を備える。
マニュアル調整部は、ユーザーが画質調整を個別に設定または部分的に設定変更して、画像データをユーザー独自の画質に仕上げる。
お気に入り画像選択部は、マニュアル調整部を用いて画質調整された画像データをユーザー入力によって選択する。
さらに、記憶部は、お気に入り画像選択部で選択された画像データに対して実施された『画質調整の組み合わせ』を対応情報に登録することより、対応情報をカスタマイズする。
【００１１】
《請求項６》
請求項６に記載の発明は、請求項１ないし請求項５のいずれか１項に記載の電子カメラにおいて、次の特徴を有する。
まず、入力部は、画質調整済みの画像データについて、仕上がりキーワードの変更を受け付ける機能を有する。
一方、画質調整の組み合わせは、『非線形な階調補正処理』、『階調補正処理の前に実施する前処理』、および『階調補正処理の後に実施する後処理』に大まかに分割することが可能である。
このような構成において、画質調整部は、仕上がりキーワードの変更を受け付けた画質調整済みの画像データに対して、
（１）実施済みの後処理についての逆変換を実施し、
（２）次に、実施済みの階調補正処理についての逆変換を実施し、
（３）次に、『実施済みの前処理』と『変更された仕上がりキーワードに対応する前処理』との差分処理を実施し、
（４）次に、『変更された仕上がりキーワードに対応する階調補正処理』を実施し、
（５）次に、『変更された仕上がりキーワードに対応する後処理』を実施する
という手順で、画質仕上がりを変更することを特徴とする。
【００１２】
《請求項７》
請求項７に記載の発明は、請求項１ないし請求項６のいずれか１項に記載の電子カメラと情報通信を行うコンピュータを、マニュアル調整部、お気に入り画像選択部、および情報送信部として機能させるための処理プログラムである。
このマニュアル調整部は、ユーザーが画質調整を個別に設定または部分的に設定変更して、画像データをユーザー独自の画質に仕上げる。
お気に入り画像選択部は、マニュアル調整部で生成された画像データをユーザー入力によって選択する。
情報送信部は、お気に入り画像選択部で選択された画像データに対して実施された『画質調整の組み合わせ』を対応情報のカスタマイズデータとして電子カメラに情報送信する。
【発明の効果】
【００１３】
《請求項１》
請求項１の電子カメラは、画質仕上がりを示唆する『仕上がりキーワード』と、その画質仕上がりに必要な『画質調整の組み合わせ』との対応情報を記憶する。ユーザーは、この仕上がりキーワードを選択することで、所望の画質仕上がりに必要な『画質調整の組み合わせ』を簡単に決定できる。
そのため、ユーザーが、複雑多岐にわたる画質調整作業に不馴れであっても、仕上がりキーワードの選択といった簡単なユーザー操作によって、所望の画質仕上がりを迅速に選択することが可能になる。
【００１４】
《請求項２》
請求項２の電子カメラは、仕上がりキーワードとは独立して、露出制御モードを備える。
この場合、これら『露出制御の選択』および『画質仕上がり』をそれぞれ組み合わせることで、多種多様な画質仕上がりを実現することができる。その結果、ユーザーの撮影意図に対して、より高い自由度で応えることが可能になる。
特に、露出制御に比べて画質調整には馴れてないユーザーにとって、両操作が分離することで大変使いやすい電子カメラが実現する。
【００１５】
《請求項３》
請求項３の電子カメラは、仕上がりキーワードと独立して露出制御する露出制御モードとして、プログラム露出モード、絞り優先露出モード、シャッタ優先露出モード、およびマニュアル露出モードの少なくとも一つを有する。入力部では、この種の露出制御モードが選択された場合に、仕上がりキーワードの選択操作を受け付ける。
例えば、ユーザーは、露出制御モードの撮影効果を勘案しつつ、その撮影効果に合った仕上がりキーワード（つまり画質調整の仕上がり具合）を的確に選択することができる。このような操作により、ユーザーの思考に合わせた合理的かつ自然なカメラ操作が実現できる。
その結果、カメラ撮影時の設定操作性が高く、かつ所望の画質仕上がりを的確に得られる電子カメラとなる。
【００１６】
《請求項４》
請求項４の電子カメラは、記憶部の対応情報をカスタマイズすることにより、新たな画質仕上がりを登録したり、あるいは画質仕上がりの一部を個別変更することが可能になる。
その結果、画質仕上がりの選択自由度が一段と高くなり、ユーザー独自のマイカメラを構築することが可能になる。
【００１７】
《請求項５》
請求項５の電子カメラは、ユーザーがお気に入り画像を選択することで、そのお気に入り画像に施された『画質調整の組み合わせ』を、記憶部に登録する。
この場合、ユーザーは、画質調整の実際を理解するという面倒なしに、画像の選択という直感的な操作によって、お気に入りの画質仕上がりを簡単登録できる。
【００１８】
《請求項６》
請求項６の電子カメラでは、画質調整済みの画像データに対して、事後的に画質仕上がりを変更することが可能になる。
この場合、非線形な階調補正処理の以降に実施された後処理については、その逆変換を実施することで、階調補正処理の直後の画像データを復元する。
さらに、この画像データに階調補正処理の逆変換を実施して、階調補正の直前の画像データを復元する。
さらに続いて、この画像データに、『実施済みの前処理』と『変更された仕上がりキーワードに対応する前処理』との差分処理を実施する。この差分処理により、『変更された仕上がりキーワードに対応する前処理』を実施した画像データを直接的に得ることができる。
次に、この画像データに対して、変更された仕上がりキーワードに対応する階調補正処理および後処理を段階的に実施する。
以上のような処理により、事後的に画質仕上がりを変更することが可能になる。特に、上述した差分処理の採用により、前処理の処理工数を削減することに成功している。その結果、前処理に係る処理コストが少なく、省電力化や処理高速化が達成される。
【００１９】
《請求項７》
請求項７に処理プログラムを使用することにより、請求項５と同様のカスタム機能をコンピュータ上で実現することが可能になる。
この場合、コンピュータ上で画像データを確認しながらコンピュータのより高度な操作環境を駆使して、ユーザー独自のお気に入りの画質仕上がりを一段と高度に創作できる。その結果、より高度な画質仕上がりのカスタマイズ機能が実現する。
【発明を実施するための最良の形態】
【００２０】
《本実施形態の構成説明》
図１は、電子カメラ１１の構成を示すブロック図である。
図２は、電子カメラ１１のスイッチ群２２ａのレイアウトを示す外観図である。
これらの図において、電子カメラ１１には、撮影レンズ１２が着脱自在に装着される。この撮影レンズ１２には、絞り１２ａが設けられる。撮影レンズ１２の像空間には、シャッタ１３ａおよび撮像素子１３が設けられる。これら絞り１２ａ、シャッタ１３ａ、および撮像素子１３は、露出制御部１４によって駆動される。この露出制御部１４には、ファインダ光学系（不図示）に設けられた測光部１４ａからＴＴＬマルチ測光情報が入力される。
【００２１】
上述した撮像素子１３で生成された画像データは、Ａ／Ｄ変換部１５および信号処理部１６を介して処理された後、バッファメモリ１７に一時記憶される。
このバッファメモリ１７は、バス１８に接続される。このバス１８には、画質調整部１９、カードインターフェース２０、制御部２２、圧縮伸張部２３、画像表示部２４、記憶部２６、および外部インターフェース２７が接続される。この内、カードインターフェース２０には、着脱自在なメモリカード２１が装着される。また、制御部２２には、電子カメラ１１のスイッチ群２２ａが接続される。このスイッチ群２２ａとしては、モードダイヤル２８、マルチセレクタ２９、メニュー釦３０、およびレリーズ釦１１ａなどが、電子カメラ１１に設けられる。
【００２２】
さらに、画像表示部２４は、電子カメラ１１の背面に設けられたモニタ部２５に画像を表示する。
また、記憶部２６には、図６に示す対応情報が予め記録されている。
さらに、外部インターフェース２７は、ケーブルや無線電波や光通信を介して、外部のコンピュータ３１と情報通信を行うことができる。
【００２３】
《発明との対応関係》
以下、発明と本実施形態との対応関係について説明する。なお、ここでの対応関係は、参考のために一解釈を例示するものであり、本発明を徒らに限定するものではない。
請求項記載の撮像部は、撮像素子１３、シャッタ１３ａ、およびＡ／Ｄ変換部１５に対応する。
請求項記載の画質調整部は、画質調整部１９に対応する。
請求項記載の記憶部は、記憶部２６に対応する。
請求項記載の入力部は、スイッチ群２２ａに対応する。
請求項記載の制御部は、制御部２２に対応する。
請求項記載のコンピュータは、コンピュータ３１に対応する。
【００２４】
《電子カメラ１１の撮影動作》
図３は、電子カメラ１１の撮影動作を説明する流れ図である。以下、図３に示すステップ番号に沿って、この撮影動作を説明する。
【００２５】
［ステップＳ１］  ユーザーは、モードダイヤル２８（図２参照）を操作して、カメラの動作モードを随時変更することができる。この場合の動作モードは、ダイヤル面にイラスト表記されたシーンモードと、ＰＳＡＭなどの符号で表記された露出制御モードとに大別される。
シーンモードは、ポートレートモードなどに該当し、露出制御および画質調整が一緒に設定されるモードである。そのため、これらのシーンモードでは、露出制御と画質調整を独立に変更できない。
（なお、このシーンモードの選択状態において、仕上がり設定機能を起動して、シーンモードの画質調整を適宜変更してもかまわない。）
【００２６】
一方、露出制御モードは、露出制御のみに関する動作モードであり、画質調整とは別に設定することができる。電子カメラ１１には、このような露出制御モードとしては、下記のモードが設けられる。
プログラム露出モード（Ｐ）・・・カメラ側がプログラム線図などに従って、シャッタ速度および絞り値の組み合わせを自動的に決定する露出制御モード。
絞り優先露出モード（Ａ）・・・ユーザーの絞り設定に合わせて、シャッタ速度を自動的に決定する露出制御モード。
シャッタ優先露出モード（Ｓ）・・・ユーザーのシャッタ速度設定に合わせて、絞り値を自動的に決定する露出制御モード。
マニュアル露出モード（Ｍ）・・ユーザーが、シャッタ速度および絞り値をマニュアル設定する露出制御モード。
【００２７】
［ステップＳ２］  制御部２２は、モードダイヤル２８の接点情報を取得し、シーンモードが選択されているか否かを判定する。
ここで、シーンモードが選択されている場合、制御部２２は、シーンモードの撮影処理に動作を移行する。なお、このシーンモードについては公知であるため、ここでの説明を省略する。
一方、上述した４種類（ＰＡＳＭ）の露出制御モードが選択されている場合、制御部２２はステップＳ３に動作を移行する。
【００２８】
［ステップＳ３］  これら４種類（ＰＡＳＭ）の露出制御モードでは、画像の画質仕上がりを設定する機能（以下『仕上がり設定』という）を使用できる。
この仕上がり設定は、ユーザーがメニュー釦３０を押してモニタ部２５にメインメニューを表示し、このメインメニューの中からメニュー項目『仕上がり設定』を選ぶことによって実施される。
このようにしてメニュー項目『仕上がり設定』が選択されると、制御部２２はステップＳ４に動作を移行する。
一方、メニュー項目『仕上がり設定』が選択されない場合、制御部２２は、現時点の仕上がり設定（つまり、前回の仕上がりキーワードの選択結果）を維持したまま、ステップＳ９に動作を移行する。
【００２９】
［ステップＳ４］  制御部２２は、メニュー項目『仕上がり設定』の選択に応じて、モニタ部２５の表示をメインメニューから、仕上がり設定用のメニュー画面Ｐ（図４参照）に切り換える。
このメニュー画面Ｐには、複数の仕上がりキーワード（『鮮やかに』、『人物キレイに』、『カスタマイズ』など）が表示される。
ユーザーは、マルチセレクタ２９の上下キーを操作することで、これら仕上がりキーワードの項目間でフォーカス（項目選択を示す表示）を移動し、右キーを操作することでフォーカス位置の仕上がりキーワードを選択決定する。
【００３０】
［ステップＳ５］  このようにして仕上がりキーワードの選択が完了すると、制御部２２はステップＳ９に動作を移行する。
なお、仕上がりキーワード『カスタマイズ』が選択された場合には、制御部２２はステップＳ６に動作を移行する。
【００３１】
［ステップＳ６］  制御部２２は、『カスタマイズ』の選択決定に応じて、モニタ部２５の表示をカスタマイズ用のメニュー画面Ｑ（図４参照）に変更する。
このメニュー画面Ｑには、最上段にメニュー項目『設定終了』が表示される。その下には、『カスタマイズ』において個別設定可能な画質調整の項目が並ぶ。
ユーザーが、これらの画質調整の項目間でフォーカスを移動すると、図５に示すように、その画質調整の具体的なパラメータ（強弱など）がポップアップ表示される。ユーザーは、所望の画質調整の項目について、パラメータを選択することにより、『カスタマイズ』における画質調整の組み合わせを設定することができる。
【００３２】
［ステップＳ７］  このような『カスタマイズ』の変更は、ユーザーがメニュー操作を途中キャンセル（マルチセレクタ２９の左キー、またはメニュー釦３０の押圧）するか、もしくは『設定終了』をメニュー選択するまで、繰り返し実行することができる。
途中キャンセルの場合、制御部２２は、カスタマイズ内容を破棄して、メニュー画面を一つ前に戻す。
一方、メニュー画面内の『設定終了』がメニュー選択された場合、制御部２２はステップＳ９に動作を移行する。
【００３３】
［ステップＳ８］  この設定終了によって、現時点の仕上がりキーワードは『カスタマイズ』に選択決定される。
なお、ステップＳ６において個別設定や部分変更が行われていた場合、制御部２２は、これら変更を反映するように、記憶部２６内の対応情報（図６に示す『カスタマイズ』の列データ）を書き換える。
【００３４】
［ステップＳ９］  ここで制御部２２は、レリーズ釦１１ａの操作の有無を確認する。
もし、レリーズ操作があれば、制御部２２はステップＳ１０に動作を移行する。
一方、レリーズ操作が無ければ、制御部２２はステップＳ１に動作を戻し、撮影前のモード変更などを継続して受け付ける。
【００３５】
［ステップＳ１０］  制御部２２は、レリーズ操作に応じて、現在選択中の露出制御モードに応じた露出制御を露出制御部１４に指示する。
露出制御部１４は、測光部１４ａからのＴＴＬマルチ測光情報を取得し、露出制御モードの動作シーケンスに沿った露出決定を行う。露出制御部１４は、この露出決定に従って、絞り１２ａ、シャッタ１３ａ、および撮像素子１３を露出制御する。
この露出制御によって撮像素子１３に生成された画像データは、Ａ／Ｄ変換部１５および信号処理部１６を介して処理された後、バッファメモリ１７に蓄積される。
【００３６】
［ステップＳ１１］  制御部２２は、記憶部２６の対応情報（図６）に照合して、現在選択中の仕上がりキーワードに対応する列データ（すなわち、画質調整の組み合わせ）を求める。
【００３７】
［ステップＳ１２］  このように求めた『画質調整の組み合わせ』は、制御部２２から画質調整部１９に伝達される。画質調整部１９は、このように伝達される『画質調整の組み合わせ』に従って、バッファメモリ１７内の画像データに画質調整を順次に施す。
このようにしてユーザーが意図した露出制御と画質調整によって生成された画像データは、必要に応じて圧縮伸張部２３で圧縮処理され、画像ファイルとなる。制御部２２は、この画像ファイルに、仕上がりキーワードまたはその『画質調整の組み合わせ』を情報付加した後、カードインターフェース２０を介してメモリカード２１に保存記録する。
【００３８】
《対応情報の一例》
図６〜図９は、対応情報の好ましい一例を示す図である。以下、これらの図を使用して、仕上がりキーワードごとに設定される『画質調整の組み合わせ』の一例を具体的に説明する。
【００３９】
（１）『標準』
この『標準』は、ＰＳＡＭの露出制御モードにおいて、デフォルトで選択される仕上がりキーワードである。
まず、ホワイトバランス調整およびホワイトバランス微調整設定については、自動設定またはユーザー設定（光源設定やプリセットホワイトバランスなど）によって決定される。
【００４０】
また、輪郭強調については、画像データの空間微分から高域成分量を求め、この高域成分量と目標値との不足分に応じて、輪郭強調の強さがオート調整される。『標準』では、図７に示すように、このオート調整の目標値が中間的な標準値に設定され、かつ輪郭強調の上限下限は最大限に広く設定される。このような設定により、大多数の画像データにおいて好ましい標準的な輪郭強調が実施される。
【００４１】
一方、階調補正については、画像データの明暗レベルからコントラスト量やその出現頻度を求め、これらのコントラスト傾向と目標値との差に応じて、階調補正のカーブがオート調整される。『標準』では、図８に示すように、このオート調整の目標値が中間的で標準な値に設定され、かつ階調補正カーブの選択肢は最大限に広く設定される。このような設定により、大多数の画像データにおいて好ましい標準的な階調補正が実施される。
【００４２】
また、カラーモードについては、モード１が選択される。このモード１は、ｓＲＧＢ色空間に適応したカラーモードである。特に、このモード１は、赤系統（肌色）の色再現性を重視しているので、人物中心に美しい色再現が得られる。
一方、彩度設定については、画像データの彩度レベルとその出現頻度を求め、これらの彩度傾向と目標値との差に応じて、彩度の調整レベルがオート調整される。『標準』では、図９に示すように、このオート調整の目標値が中間的で標準な値に設定され、かつ彩度調整の範囲が最大限に広く設定される。このような設定により、大多数の画像データにおいて好ましい標準的な彩度調整が実施される。
【００４３】
（２）『鮮やかに』
この『鮮やかに』において、輪郭強調はオート調整によって実施される。ただし、この『鮮やかに』では、図７に示すように、オート調整の目標値が標準値よりも僅か強めに設定され、かつ輪郭強調の範囲はやや狭く設定される。このような設定により、色鮮やかな画像データを一段と引き立てる、僅かに強めの輪郭強調が実施される。
【００４４】
一方、階調補正もオート調整によって実施される。ただし、この『鮮やかに』では、図８に示すように、オート調整の目標値が標準値よりも僅かに硬調に設定され、かつ階調補正の選択肢から特に軟調なカーブのみが除外される。このような設定により、色鮮やかな画像データを一段と引き立てる、僅かにコントラスト強調のかかった階調補正が実施される。
【００４５】
また、カラーモードについては、モード３が選択される。このモード３は、ｓＲＧＢ色空間に適応したカラーモードである。特に、緑および青系統の色再現性を重視しているので、風景中心に美しい色再現が得られる。
一方、彩度設定もオート調整によって実施される。ただし、この『鮮やかに』では、図９に示すように、オート調整の目標値が最も高彩度寄りに設定され、かつ彩度調整の範囲が最も狭く設定される。このような設定により、画像データの色を鮮やかに調整することが可能になる。
【００４６】
（３）『シャープに』
この『シャープに』において、輪郭強調はオート調整によって実施される。ただし、この『シャープに』では、図７に示すように、オート調整の目標値が最も強めに設定され、かつ輪郭強調の範囲は最も狭く設定される。このような設定により、画像データを一段とシャープに画質調整することができる。
【００４７】
一方、階調補正もオート調整によって実施される。ただし、この『シャープに』では、図８に示すように、オート調整の目標値が標準値よりも僅かに硬調に設定され、かつ階調補正の選択肢から極端に軟調なカーブが除外される。このような設定により、シャープな画像データを一段と引き立てる、僅かにコントラスト強調のかかった階調豊かな画像データが仕上がる。
【００４８】
また、カラーモードについては、肌色重視のモード１が選択される。
一方、彩度設定もオート調整によって実施される。ただし、この『シャープに』では、図９に示すように、オート調整の目標値が僅かに高彩度寄りに設定され、かつ彩度調整の範囲が比較的広く設定される。このような設定により、シャープな画像データを一段と引き立てる、僅かに鮮やかな画像データが仕上がる。
【００４９】
（４）『ソフトに』
この『ソフトに』において、輪郭強調はオート調整によって実施される。ただし、この『ソフトに』では、図７に示すように、オート調整の目標値が標準値よりも弱めに設定され、かつ輪郭強調の範囲は『標準』よりも僅かに狭く設定される。このような設定により、画像データをソフトな印象に画質調整することができる。
【００５０】
一方、階調補正もオート調整によって実施される。ただし、この『ソフトに』では、図８に示すように、『標準』と同一に設定される。
また、カラーモードについては、肌色重視のモード１が選択される。
【００５１】
一方、彩度設定もオート調整によって実施される。ただし、この『ソフトに』では、図９に示すように、オート調整の目標値が僅かに低彩度寄りに設定され、かつ彩度調整の範囲も『標準』よりも僅かに狭く設定される。このような設定により、ソフトな画像データを一段と引き立てる、色忠実性の高い画像データが仕上がる。
【００５２】
（５）『ダイレクトプリント』
この『ダイレクトプリント』の画質調整では、電子カメラ１１をプリンタにダイレクト接続して印刷した際に好適な画質仕上がりが得られる。
まず、この『ダイレクトプリント』において、輪郭強調はオート調整によって実施される。ただし、この『ダイレクトプリント』では、図７に示すように、オート調整の目標値が標準値に設定され、かつ輪郭強調の範囲は『標準』よりも狭く設定される。このような設定により、画像データの絵柄に左右されずに所定の輪郭強調結果を得ることが可能になり、ダイレクトプリントに適した画質が得られる。
【００５３】
一方、階調補正もオート調整によって実施される。ただし、この『ダイレクトプリント』では、図８に示すように、『標準』と同一に設定される。
また、カラーモードについては、ダイレクトプリントはファミリーユースの撮影が大半であるなどの理由から、肌色重視のモード１が選択される。
【００５４】
一方、彩度設定もオート調整によって実施される。ただし、この『ダイレクトプリント』では、図９に示すように、オート調整の目標値が標準値に設定され、かつ彩度調整の範囲は『標準』よりも狭く設定される。このような設定により、画像データの絵柄に左右されずに所定の彩度強調結果を得ることが可能になり、ダイレクトプリントに適した画質が得られる。
【００５５】
（６）『人物キレイに』
この『人物キレイに』において、輪郭強調はオート調整によって実施される。ただし、この『人物キレイに』では、図７に示すように、オート調整の目標値が標準値よりも弱めに設定され、かつ輪郭強調の範囲は『標準』よりも僅かに狭く設定される。このような設定により、人物画像の輪郭が必要以上に強くならず、人物被写体にとって好ましい画質となる。
【００５６】
一方、階調補正もオート調整によって実施される。ただし、この『人物キレイに』では、図８に示すように、オート調整の目標値が標準値よりもやや軟調寄りに設定され、階調補正の選択肢から極端に硬調な階調補正カーブが除外される。その結果、人物の影などを和らげて、人物被写体を階調豊かに仕上げることができる。
また、カラーモードについては、人物被写体に合わせて、肌色重視のモード１が選択される。
【００５７】
一方、彩度設定もオート調整によって実施される。ただし、この『人物キレイに』では、図９に示すように、オート調整の目標値が僅かに低彩度寄りに設定され、かつ彩度調整の範囲も『標準』よりも僅かに狭く設定される。このような設定により、人物被写体の肌色の再現幅を拡げた画像データが仕上がる。
【００５８】
（７）『風景キレイに』
この『風景キレイに』において、輪郭強調はオート調整によって実施される。ただし、この『風景キレイに』では、図７に示すように、オート調整の目標値が最も強めに設定され、かつ輪郭強調の範囲は最も狭く設定される。このような設定により、風景のディテールを際立たせ、見映えのする風景画像に仕上げることができる。
【００５９】
一方、階調補正もオート調整によって実施される。ただし、この『風景キレイに』では、図８に示すように、オート調整の目標値が最も硬調に設定され、かつ階調補正の選択肢が硬調カーブに限定される。このような設定により、コントラストの強い風景画像に仕上げることができる。
【００６０】
また、カラーモードについては、風景重視のモード３が選択される。
一方、彩度設定もオート調整によって実施される。ただし、この『風景キレイに』では、図９に示すように、オート調整の目標値が最も高彩度寄りに設定され、かつ彩度調整の範囲が最も狭く設定される。このような設定により、新緑や青空といった風景画像の色を鮮やかに調整することが可能になる。
【００６１】
（８）『カスタマイズ』
『カスタマイズ』では、ユーザーは、図５に示した画質調整の項目全て（ホワイトバランス関連も含む）について、個別設定を行うことができる。
【００６２】
《仕上がりキーワードの変更操作》
電子カメラ１１は、画質調整済みの画像データについて仕上がりキーワードの変更を受け付けると、画質仕上がりを事後的に変更する。
図１０は、この仕上がり変更（ここでは仕上がりキーワードＡから仕上がりキーワードＢへの変更）の説明図である。なお、ここでは、説明を簡明にするために、４種類の画質調整の項目（ホワイトバランス調整、階調補正、色座標変換すなわちカラーモード、彩度調整）を取り上げて説明する。
【００６３】
ユーザーは、モニタ部２５の表示を見ながら、メモリカード２１の記録画像の中から、画質調整済みの画像を選択する。この選択状態で、ユーザーはメニュー釦３０を押して、上述した仕上がり設定のメニュー画面を表示する。このとき、制御部２２は、仕上がりキーワードＡが実施済みであることを記録画像の付加情報から検出して、メニュー表示のフォーカス位置を仕上がりキーワードＡまで移動する。
ユーザーは、このメニュー表示の状態からフォーカス位置を移動し、仕上がり変更を望む仕上がりキーワードＢを新たに選択決定する。
このようなユーザー操作を契機にして、制御部２２は、画像調整済み画像の再度の画質調整を開始する。
【００６４】
まず、制御部２２は、記憶部２６の対応情報、または画像の付加情報に照会して、仕上がりキーワードＡで実施済みの画質調整パラメータ（１）〜（４）を取得する。
（１）ホワイトバランス調整におけるＲＢ信号の調整ゲインＷＲａ，ＷＢａ
（２）非線形な階調補正テーブルＴａ
（３）色座標変換の変換マトリクスＣａ
（４）彩度調整の調整ゲインＳａ
さらに、制御部２２は、対応情報や画質調整部１９に照会して、仕上がりキーワードＢで実施予定の画質調整パラメータ（５）〜（８）を取得する。
（５）ホワイトバランス調整におけるＲＢ信号の調整ゲインＷＲｂ，ＷＢｂ
（２）非線形な階調補正テーブルＴｂ
（３）色座標変換の変換マトリクスＣｂ
（４）彩度調整の調整ゲインＳｂ
【００６５】
これらの情報に基づいて、画質調整済み画像に対して、必要かつ復元可能な範囲で、画質調整前の画像の復元を試みる。
まず、画質調整済み画像の彩度に、彩度調整の逆ゲインＳａ-1を乗じて、彩度調整前の復元画像を得る。
次に、彩度調整前の復元画像に、色座標変換の逆マトリクスＣａ-1を乗じて、色座標変換前の復元画像を得る。
さらに、色座標変換前の復元画像に、階調補正の逆変換テーブルＴａ-1による逆変換を施し、階調補正前の復元画像を得る。
【００６６】
次に、階調補正前の復元画像に対して、ホワイトバランスの差分ゲインＷＲｂ／ＷＲａ，ＷＢｂ／ＷＢａを乗じる。
このような差分処理の実施により、仕上がりキーワードＢにおけるホワイトバランス後の画像を、途中の演算過程を飛ばして短絡的に得ることができる。
【００６７】
続いて、このホワイトバランス後の画像に対して、階調補正テーブルＴｂによる階調補正を実施し、階調補正後の画像を得る。
さらに、この階調補正後の画像に対して、色座標変換のマトリクスＣｂを乗じて、色座標変換後の画像を得る。
次に、この色座標変換後の画像に対して、彩度調整の調整ゲインＳｂを乗じて、仕上がりキーワードＢの画質調整済み画像を得る。
【００６８】
《画像選択による仕上がりカスタマイズ機能》
コンピュータ３１は、ユーザーからの指示に従って、ＲＡＷデータに細かな画質調整を施すことができる。さらに、このコンピュータ３１は、このように調整された画質仕上がり具合を、電子カメラ１１の仕上がり設定に追加登録することができる。
図１１は、上述した機能を実現するための処理プログラムを示す図である。以下、図１１のステップ番号に沿って、この『画像選択による仕上がり設定のカスタマイズ機能』について説明する。
【００６９】
［ステップＳ２１］  ユーザーは、キーボードやマウスを介して、コンピュータ３１に画質調整の指示入力を与える。この指示入力に従って、コンピュータ３１は、ＲＡＷデータに対して一連の画質調整を実施し、ユーザーお気に入りの画質調整済み画像を作成する。
【００７０】
［ステップＳ２２］  コンピュータ３１は、作成された画質調整済み画像に実施した画質調整を実施順に整理し、画質調整の履歴データを作成する。
【００７１】
［ステップＳ２３］  コンピュータ３１は、画質調整済み画像に履歴データを付加して、記録媒体に保存する。
【００７２】
［ステップＳ２４］  コンピュータ３１は、ユーザーからの指示が無ければ、ステップＳ２１に動作を戻し、新たなＲＡＷデータに対する画質調整を繰り返す。
一方、ユーザーから電子カメラ１１のカスタマイズ指示を受けると、コンピュータ３１はステップＳ２５に動作を移行する。
【００７３】
［ステップＳ２５］  コンピュータ３１は、記録媒体内から、複数の画質調整済み画像を読み出し、サムネイル表示を行う。ユーザーは、このサムネイル表示の中から、お気に入りの画質調整済み画像を選択する。
【００７４】
［ステップＳ２６］  コンピュータ３１は、この選択画像から履歴データを読み出し、選択画像に実施された『画質調整の組み合わせ』を求める。
【００７５】
［ステップＳ２７］  コンピュータ３１は、求めた『画質調整の組み合わせ』を、電子カメラ１１のカスタマイズデータとして、電子カメラ１１に情報転送する。
なお、ユーザーが実施した画質調整が、オート調整のような設定範囲を柔軟に持たず、固定的な調整値の場合、カスタマイズデータとしては、その固定的な調整値の前／後に、所定の設定範囲を持たせることが好ましい。このような設定範囲の余裕により、個々の画像データごとに、画質調整の効果を設定範囲内でオート調整することができる。
また、この設定範囲については、ユーザーが上限下限を入力設定してもよい。
さらに、ユーザーがお気に入りの画質調整済み画像を複数選択した場合、コンピュータ３１が、複数選択された画像の画質調整の調整値をカバーする範囲で、設定範囲を決定してもよい。
【００７６】
［ステップＳ２８］  電子カメラ１１側では、情報転送された『画質調整の組み合わせ』に、『カスタマイズＮ』などの仕上がりキーワードを付けて、記憶部２６内の対応情報に追加登録する（ただし、Ｎは自動付与の連番）。
【００７７】
《本実施形態の効果など》
以上説明したように、本実施形態では、ユーザーが仕上がりキーワードを選ぶことで、所望の画質仕上がりに必要な『画質調整の組み合わせ』が選択的に実施される。その結果、ユーザーは、複雑で難しい画質パラメータを一つ一つ意識して入力指示する必要がなくなり、画質調整の操作性に優れた電子カメラ１１が実現する。
【００７８】
また、本実施形態では、露出制御モードと独立して、仕上がりキーワードを選択できる。その結果、露出制御と、画質仕上がりとを組み合わせて、一段とユーザー好みの画像データを得ることもできる。
また、露出制御モードと仕上がりキーワードとを独立させたことにより、銀塩カメラの経験によって露出制御には習熟しているが、画質調整には不馴れなユーザーにとって、大変に使いやすい電子カメラ１１が実現する。
【００７９】
さらに、露出制御モードを先に選択することで、ユーザーは、被写体の撮影意図をまずじっくり検討する。続いて、ユーザーは、じっくり検討したその撮影意図を意識しながら、その撮影意図に適合した仕上がりキーワードをメニュー画面から的確に選択できる。
このような操作順は、ユーザーによる撮影意図の検討過程に配慮しているため、合理的かつ自然な流れであり、大変に使いやすい電子カメラ１１が実現する。
【００８０】
また、本実施形態では、仕上がりキーワード『カスタマイズ』や、コンピュータ３１を使用することで、ユーザー独自の画質仕上がりを簡単に登録することができる。したがって、ユーザー独自の画質仕上がりを、登録済みの定番仕上がりとして、いつでも簡単に実施することが可能になる。
【００８１】
さらに、本実施形態では、画質調整済み画像の画質仕上がりを後から変更できる。この場合、画質調整の差分処理を実施することにより、処理コストを低減したり、演算処理の誤差発生を抑えることができる。
【００８２】
《本実施形態の補足事項》
なお、上述した実施形態では、外部のコンピュータ３１側で、対応情報のカスタマイズデータを作成している。しかしながら、本発明はこれに限定されるものではない。例えば、電子カメラ１１内に画質調整の試行環境を設けることにより、電子カメラ１１内で図１１に示すカスタマイズ動作を実施することも可能である。
【産業上の利用可能性】
【００８３】
以上説明したように、本発明は、電子カメラなどに利用可能な技術である。
【図面の簡単な説明】
【００８４】
【図１】電子カメラ１１の構成を示すブロック図である。
【図２】電子カメラ１１のスイッチ群２２ａのレイアウトを示す外観図である。
【図３】電子カメラ１１の撮影手順を説明する流れ図である。
【図４】電子カメラ１１のメニュー表示を示す図である。
【図５】電子カメラ１１のメニュー表示を示す図である。
【図６】対応情報の一例を示す図である。
【図７】輪郭強調の設定例を示す図である。
【図８】階調補正の設定例を示す図である。
【図９】彩度設定の設定例を示す図である。
【図１０】仕上がり変更の動作を説明する図である。
【図１１】画像選択による仕上がり設定のカスタマイズ動作を説明する流れ図である。
【符号の説明】
【００８５】
１１  電子カメラ
１１ａ  レリーズ釦
１２  撮影レンズ
１２ａ  絞り
１３  撮像素子
１３ａ  シャッタ
１４  露出制御部
１４ａ  測光部
１５  Ａ／Ｄ変換部
１６  信号処理部
１７  バッファメモリ
１８  バス
１９  画質調整部
２０  カードインターフェース
２１  メモリカード
２２  制御部
２２ａ  スイッチ群
２３  圧縮伸張部
２４  画像表示部
２５  モニタ部
２６  記憶部
２７  外部インターフェース
２８  モードダイヤル
２９  マルチセレクタ
３０  メニュー釦
３１  コンピュータ
【図１】
2005217483.tif 000003
【図２】
2005217483.tif 000004
【図３】
2005217483.tif 000005
【図４】
2005217483.tif 000006
【図５】
2005217483.tif 000007
【図６】
2005217483.tif 000008
【図７】
2005217483.tif 000009
【図８】
2005217483.tif 000010
【図９】
2005217483.tif 000011
【図１０】
2005217483.tif 000012
【図１１】
2005217483.tif 000013